(57)【要約】【課題】   本発明は、携帯電話端末を使って提携会社などから必要な情報のＩＣカードの記憶手段へのダウンロードと、その情報の確認又は認証が容易にできる通信端末を提供する。【解決手段】  提携会社と情報データの送受信通信手段と接続された携帯電話端末用アンテナとＩＣカード機能部用アンテナの２つのアンテナを有する携帯電話端末２は通信手段１１と表示手段１２とを備え、内部にメモリ１５を有するＩＣカード機能部６が内蔵され、この通信手段１１により受信された情報データが入出力手段７、８を介して、ＩＣカード機能部６のメモリ１５に直接記憶され、表示手段１２により表示される。また電力がＩＣカード機能部の各部に供給されない状態で、前記外部のリーダ／ライタ装置から供給される電力でＩＣカード機能部の各部を動作させ、ＩＣカード機能部のメモリ内容を前記外部のリーダ／ライタ装置で読み取り可能とした。【選択図】  図１
2005102235.tif 000002
【特許請求の範囲】
【請求項１】
提携会社と情報データの送受信をするための通信手段に接続された携帯電話端末用アンテナとＩＣカード機能部用アンテナの２つのアンテナを有する携帯電話端末であって、前記携帯電話端末は前記携帯電話端末用のアンテナを介してＩＣカード機能部のメモリと提携会社システムとの間でリーダ／ライタとして機能し、前記ＩＣカード機能部は前記ＩＣカード機能部のアンテナを介して外部のリーダ／ライタ装置と通信することを特徴とする携帯電話端末。
【請求項２】
携帯電話機にＩＣカード機能部を内蔵した携帯電話端末であって、前記携帯電話機は提携会社と情報データの送受信をするためのアンテナを備えた通信部及び電源を有し、前記ＩＣカード機能部は外部のリーダ／ライタ装置と送受信をするためのアンテナを備えた送受信部を有し、また前記携帯電話機のＣＰＵとＩＣカード機能部のＣＰＵとは入出力装置を介して接続され、前記電源からの電力がＩＣカード機能部の各部に供給された状態で、前記提携会社から受信した情報データをＩＣカード機能部のメモリに直接記憶せしめ、また電力がＩＣカード機能部の各部に供給されなくなった状態で、前記外部のリーダ／ライタ装置から供給される電力でＩＣカード機能部の各部を動作せしめ、ＩＣカード機能部のメモリ内容を前記外部のリーダ／ライタ装置で読み取り可能としたことを特徴とする携帯電話端末。
【請求項３】
携帯電話機にＩＣカード機能部を内蔵した携帯電話端末であって、前記携帯電話機は提携会社と情報データの送受信をするための通信部、電源、操作部、表示部及びこれら各部を制御するＣＰＵを有し、前記ＩＣカード機能部は外部のリーダ／ライタ装置と送受信をするための送受信部、メモリ及びこれら各部を制御するＣＰＵを有し、また前記携帯電話機のＣＰＵと前記ＩＣカード機能部のＣＰＵとは入出力装置を介して接続され、前記外部のリーダ／ライタ装置を備えた店舗において以下のステップを行えることを特徴とする携帯電話端末。
ステップ１：前記提携会社からの電子マネー情報を携帯電話機の前記通信部を介して前記ＩＣカード機能部のメモリに記憶する。
ステップ２：前記外部のリーダ／ライタ装置の磁界領域内に携帯電話端末がかざされると前記ＩＣカード機能部がその電磁波を受信する。
ステップ３：電磁波を受信した前記ＩＣカード機能部は、必要な情報データを前記ＩＣカード機能部のメモリから読み取る。
ステップ４：抽出した電子マネー情報データを変調して前記外部のリーダ／ライタ装置に送信する。
ステップ５：前記外部のリーダ／ライタ装置において決済された電子マネー情報データを前記ＩＣカード機能部で受信し、前記ＩＣカード機能部のメモリに記憶する。
【発明の詳細な説明】
【技術分野】
【０００１】
本発明は、非接触式ＩＣカード機能を具備した携帯電話端末に関する。
【背景技術】
【０００２】
近年、ＩＣカードの本格的な普及を目的として、各業界で様々な事業化が予定されている。例えば、ＮＴＴが予定している次期テレホンカードやＪＲ東日本が予定している電子切符（ＩＣ定期券）である。これらのＩＣカードは、信頼性及び用途の面から非接触タイプのＩＣカードが使用される。
【０００３】
また、非接触型のＩＣカードは通信距離、方式（使用周波数等）により「密着型」、「近接型」「近傍型」に分類されており、それぞれについて、国際標準規格ＩＳＯ／ＩＥＣ１０５３６、ＩＳＯ／ＩＥＣ１４４４３、ＩＳＯ／ＩＥＣ１５６９３として規格化が進められている。例えば、「密着型」のリーダ装置との最大通信距離は約２ｍｍである。同様に、「近接型」は約１０ｃｍ、「近傍型」は約７０ｃｍである。
【０００４】
また、通常、非接触型のＩＣカードは、形状が名刺大で、電源を持っていない。そのため、ＩＣカードが動作するための電力は、リーダ／ライタ装置からの電磁波にて供給される。
【０００５】
また、通常、ＩＣカードに情報を入力及び出力する場合は、リーダ／ライタ装置を介して行われる。
【発明の開示】
【発明が解決しようとする課題】
【０００６】
上記に示すように、通常、ＩＣカードは電源を備えておらず、リーダ／ライタ装置からの電磁波にてＩＣが動作するための電力が供給され、しかも電波法で定められている電力にしようとすると通信距離が短くなってしまう欠点がある。
【０００７】
また、ＩＣカードは表示機能を備えていないため、ＩＣカードに記録されている情報データを見る場合は、別個にリーダ／ライタ装置を介さなければならないという欠点がある。
【０００８】
更に、電子財布や電子定期券の情報を持つ場合は、入金等の情報データを入力するたびにリーダ／ライタ装置を介して行う必要があり、不便である。
【０００９】
そこで本発明の目的は、必要な情報の入力と、その情報の確認又は認証と、が容易にできるＩＣカード及びＩＣカード機能を具備した携帯電話端末を提供することである。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１の発明は、提携会社と情報データの送受信をするための通信手段に接続された携帯電話端末用アンテナとＩＣカード機能部用アンテナの２つのアンテナを有する携帯電話端末であって、前記携帯電話端末は前記携帯電話端末用のアンテナを介してＩＣカード機能部のメモリと提携会社システムとの間でリーダ／ライタとして機能し、前記ＩＣカード機能部は前記ＩＣカード機能部のアンテナを介して外部のリーダ／ライタ装置と通信するようにした。
これにより、携帯電話とＩＣカードがシームレスに使えるようになるので、例えば従来からＧＳＭ携帯電話やＦＯＭＡ（登録商標）などで使われているＳＩＭ（加入者識別モジュール）のように携帯電話機能でダウンロードしたデータを外部で使おうとする場合に、いちいち携帯電話からＩＣカード部分を取り出して外部のリーダ／ライタに装着するといった面倒がなくなり利便性が増す。
【００１２】
請求項２の発明によれば、携帯電話機にＩＣカード機能部を内蔵した携帯電話端末であって、前記携帯電話機は提携会社と情報データの送受信をするためのアンテナを備えた通信部及び電源を有し、前記ＩＣカード機能部は外部のリーダ／ライタ装置と送受信をするためのアンテナを備えた送受信部を有し、また前記携帯電話機のＣＰＵとＩＣカード機能部のＣＰＵとは入出力装置を介して接続され、前記電源からの電力がＩＣカード機能部の各部に供給された状態で、前記提携会社から受信した情報データをＩＣカード機能部のメモリに直接記憶せしめ、また電力がＩＣカード機能部の各部に供給されなくなった状態で、前記外部のリーダ／ライタ装置から供給される電力でＩＣカード機能部の各部を動作せしめ、ＩＣカード機能部のメモリ内容を前記外部のリーダ／ライタ装置で読み取れるようにした。
これにより、例えば上記通信手段を介してクレジットカード会社などの提携会社から電子マネーの課金データをダウンロードし、前記ＩＣカード機能部のメモリに前記課金情報を書き込めて、即座にこのＩＣカード機能部の電子マネーを使って実店舗やインターネットショッピングで買い物ができるようになる。
【００１３】
請求項３の発明によれば、携帯電話機にＩＣカード機能部を内蔵した携帯電話端末であって、前記携帯電話機は提携会社と情報データの送受信をするための通信部、電源、操作部、表示部及びこれら各部を制御するＣＰＵを有し、前記ＩＣカード機能部は外部のリーダ／ライタ装置と送受信をするための送受信部、メモリ及びこれら各部を制御するＣＰＵを有し、また前記携帯電話機のＣＰＵと前記ＩＣカード機能部のＣＰＵとは入出力装置を介して接続され、前記外部のリーダ／ライタ装置を備えた店舗において以下のステップを行えるようにした。
ステップ１：前記提携会社からの電子マネー情報を携帯電話機の前記通信部を介して前記ＩＣカード機能部のメモリに記憶する。
ステップ２：前記外部のリーダ／ライタ装置の磁界領域内に携帯電話端末がかざされると前記ＩＣカード機能部がその電磁波を受信する。
ステップ３：電磁波を受信した前記ＩＣカード機能部は、必要な情報データを前記ＩＣカード機能部のメモリから読み取る。
ステップ４：抽出した電子マネー情報データを変調して前記外部のリーダ／ライタ装置に送信する。
ステップ５：前記外部のリーダ／ライタ装置において決済された電子マネー情報データを前記ＩＣカード機能部で受信し、前記ＩＣカード機能部のメモリに記憶する。
これにより、携帯電話端末を使って電子マネーを前記ＩＣカード機能部のメモリ内にチャージした後で、前記携帯電話端末を店舗に持ち込んで携帯電話端末自体を店舗にあるＩＣカードリーダ／ライタのアンテナにかざすだけで、ＩＣカード機能部を取り出さなくとも前記ＩＣカード機能部にチャージされた電子マネーを使うことができるようになる。
【発明の効果】
【００１４】
以上に説明したように、本発明によれば、ＩＣカード又はＩＣカード機能を具備する携帯電話端末のメモリに記録されている情報データの内容が容易に確認できる。また、ＩＣカード機能部のメモリへの記録がリーダ／ライタを使用しなくても、携帯会社に接続して情報データを受信するのみで、その情報データをＩＣカード機能部のメモリに記録できる。
【発明を実施するための最良の形態】
【００１５】
以下、本発明の実施形態について詳細に説明する。図１は本発明に係わる携帯電話端末を利用した無線通信システムのシステム図である。
【００１６】
無線通信システム１は、携帯電話端末２と提携会社３と店舗４とから構成される。
【００１７】
携帯電話端末２は、携帯電話端末機５と、前記携帯電話端末機５に内蔵されるＩＣカード機能部６と、から構成される。このＩＣカード機能部６は非接触式である。この携帯電話端末機５とＩＣカード機能部６には、双方で情報データの交換（移動）するための入出力手段としての入出力装置（以下、「Ｉ／Ｏ装置７、８」と呼ぶ。）を備える。この携帯電話端末機５とＩＣカード機能部６とは、このＩ／Ｏ装置７、８を介して接続される。
【００１８】
Ｉ／Ｏ装置７、８は、例えば、ＩＳＯ／ＩＥＣ７８１６やＩＳＯ／ＩＥＣ１４４４３やＩＳＯ／ＩＥＣ１５６９３規格に準拠しているものを使用することも可能である。
【００１９】
この携帯電話端末機５は、ＩＣカード機能部６と情報データの入出力を行うためのＩ／Ｏ装置７と、電源９と、携帯電話端末機の操作を行うための操作部１０と、外部から情報データを受信するためのアンテナ１４を有する通信部１１と、情報を表示するための表示部１２と、ＣＰＵ１３と、から構成される。また、通信部１１は提携会社３の各端末３ａ〜３ｃと通信回線を介して接続される。
【００２０】
また、ＩＣカード機能部６は、携帯電話端末機５と情報データの入出力を行うためのＩ／Ｏ装置８と、情報データを記憶するためのメモリ１５と、情報データの送受信を行うためのアンテナ１８を有する送受信部１６と、集積回路を含むＣＰＵ１７と、から構成される。また、送受信部１６は、店舗４のリーダ／ライタ装置３５と無線回線を介して情報の送受信が行われる。
【００２１】
このように携帯電話端末２は、提携会社と情報データの送受信をするための通信手段としての通信部１１と情報データを表示するための表示手段としての表示部１２とを有する携帯電話端末２の内部に、情報データを移動するための入出力手段としてのＩ／Ｏ装置７、８を介して、情報データを記憶するための記憶手段としてのメモリ１５とを有するＩＣカード機能部６を備えているので、通信部１１により受信する情報データを直接ＩＣカード機能部６のメモリ１５に記憶することができる。また、ＩＣカード機能部６に記憶されている情報データをＩ／Ｏ装置７、８を介して、携帯電話端末５の表示部１２に表示することができる。
【００２２】
また、携帯電話端末機５及びＩＣカード機能部６のＣＰＵ１３、１７は、接続されている装置等の全体の制御を行うコントローラである。また、ＣＰＵ１３、１７は、例えば、ＣＰＵにＲＯＭ、ＲＡＭ、ＥＥＰＲＯＭ等を有する１チップマイコンから構成される。
【００２３】
また、携帯電話端末機５及びＩＣカード機能部６のアンテナ１４、１８は、巻線コイルや埋込コイル、プリント配線コイル、印刷コイル、エッチングコイル、オンチップコイル等が使用される。
【００２４】
この携帯電話端末２には、種々のクレジットカード会社、銀行等の提携会社３の各端末３ａ〜３ｃから決済等に必要な情報データが受信される。情報データの受信は、携帯電話端末２を利用して提携会社３に接続後、操作部１０により暗証番号等の必要な情報を入力又は選択して行う。受信した情報データは、ＣＰＵ１３でＩＣカード機能部６への伝送に適した信号形式に変換して伝送する。ＩＣカード機能部６のＣＰＵ１７は、Ｉ／Ｏ装置７、８を介して、記憶するのに適した信号形式に変換してＩＣカード機能部６のメモリ１５に記憶される。
【００２５】
メモリ１５には、クレジットカードのＩＤ番号情報、残金情報等が記憶され、この携帯電話端末２は電子財布として利用される。
【００２６】
記憶した情報データは、携帯電話端末機５の入力装置１０等から情報データを指定することにより、ＩＣカード機能部６のＣＰＵ１７によりメモリ１５に記憶された情報データを読み出して携帯電話端末機５への伝送に適した信号形式に変換後、Ｉ／Ｏ装置７、８を介して携帯電話端末機５に伝送される。伝送された情報データは、携帯電話端末機５のＣＰＵ１３により表示部１２に表示するための信号形式に変換後、表示部１２により表示される。
【００２７】
また、通常、ＩＣカード機能部６は、リーダ／ライタ装置により、電磁波にて電源の供給がされるので、電源を使用しない。
【００２８】
店舗４は、リーダ／ライタ装置３５と端末機３６とから構成される。リーダ／ライタ装置３５と端末機３６とは電気的に接続されている。リーダ／ライタ装置３５は、発信回路３７と通信部３８と復調回路３９とアンテナ４０とを有する。この発信回路３７により所定の電磁波が発信され、その電磁波が影響する磁界内に存在するＩＣカード機能部６を通信部３８により検知し、そのＩＣカード機能部６に記憶されている情報データが受信される。受信された情報データは、復調回路３９により、ＩＣカード機能部６から変調されて送信された情報データが復調されるとともに、端末機３６においてその情報データを読み取るために適した信号形式に変換される。変換された情報データは、端末機３６で読み取られるとともに、所定の表示形式に変換後、画面上に表示される。
【００２９】
また、クレジット会社等から情報をＩＣカード機能部６のメモリ１５に記憶する場合やＩＣカード機能部６とリーダ／ライタ装置３５により情報の送受信をする場合等においては、データの漏洩、偽造等の不正使用を防止するための暗号化や暗号化されたデータの複合化等が行われる。具体的には、例えば、データの漏洩等による不正使用を防ぐために、ＩＣカード機能部６とは別の個人識別用ＩＤカード等との併用が行われる。また、暗号としてピンコードやＤＥＳ等を利用する場合もある。その使用形態によって、使い分ければよい。
【００３０】
ここで、例えば、携帯電話端末を利用し店舗で商品を購入し決済を行う処理について説明する。
【００３１】
図２は、決済処理のフローチャート図である。なお、理解しやすいように、図１の装置と関連する符号を付するがこれにより限定されるものではない。
【００３２】
店舗４において商品を購入するための決済を行う場合は、店舗４に備えられているリーダ／ライタ装置３５近傍（磁界領域４５内）に、携帯電話端末２をかざす。リーダ／ライタ装置３５は、発信手段としての発信回路３７により所定の電磁波が発信されており（ステップＳ１）、磁界領域４５内において携帯電話端末２がかざされると、携帯電話端末２に備えられているＩＣカード機能部６がその電磁波を受信する（ステップＳ２）。電磁波を受信したＩＣカード機能部６は、必要な情報データをメモリ１５から抽出し（ステップＳ３）、情報データを変調してリーダ／ライタ装置３５に送信する（ステップＳ４）。リーダ／ライタ装置３５は、情報データを受信し（ステップＳ５）、復調する。復調された情報データは所定の形式に変換後、端末機３６に表示される（ステップＳ６）。店舗４の店員は端末機３６に表示された情報データを確認し、決済がされる（ステップＳ７）。決済後、支払方法（１回払い、分割払い）などの決済情報データが携帯電話端末２に送信される（ステップＳ８）。携帯電話端末２はその決済情報データを受信し（ステップＳ９）、ＩＣカード機能部６のメモリ１５に記憶する（ステップＳ１０）。記憶した情報データは、表示部１２により確認できる（ステップＳ１１）。
【００３３】
次に、ＩＣカード機能を具備した携帯電話端末の他の実施形態について詳細に説明する。
【００３４】
図３は本実施形態のシステム図である。なお、図３において、図１と共通する部分には同一符号を付し、それらの説明は省略する。
【００３５】
図示のように、ＩＣカード機能部６ａは電源供給装置２０を備える。電源供給装置２０は、携帯電話端末機５の電源９からＩＣカード機能部６ａが動作するための電力を受けて、ＩＣカード機能部６ａの各部へその電力を供給するための装置である。電源供給装置２０は、ＩＣカード機能部６ａのアンテナ１８がリーダ／ライタ装置の磁界領域４５内に存在する時のみ作動し、ＩＣカード機能部６ａの各部に電力が供給される。
【００３６】
このように、ＩＣカード機能部６ａには、電源供給手段としての電源供給装置２０が備えられ、所定の通信距離を得るのに必要な電力が携帯電話端末２ａの電源から供給される。また、無駄な電力の消耗を避けるため、必要最低限の時間（通信時間相当）のみ、電力がＩＣカード機能部６ａの各部に供給されるようにした。そのため、ＩＣカード機能部６ａとリーダ／ライタ装置３５との通信距離を伸ばすことが可能であるとともに、無駄な電力を使用することがない。また、ＩＣカード機能部６ａに供給する電力と通信距離の設定によりＩＣカード機能部６ａのアンテナ１８を小さくすることも可能である。
【００３７】
次に、本発明である携帯電話端末の第２の実施形態について詳細に説明する。図４は本実施形態の携帯電話端末のシステム図である。なお、図４において、図１と共通する部分には同一符号を付し、それらの説明は省略する。ＩＣカード機能部６ｂは非接触式のＩＣカードと機能を同じくするものであり、外部から電力の供給をうけるための電源回路２１と、電力を蓄電するための蓄電部２２を備える。電源回路２１には、外部から電力エネルギとしての電磁波が供給される。電源回路２１は、アンテナ２１ａと図示しない整流器とコンデンサ等を備え、アンテナ２１ａにより電磁波を受け、整流器により整流され、コンデンサによって交流分が除かれて直流の電気として利用される。また、蓄電部２２は、ＩＣカード機能部６ｂを動作させるための電力を蓄電するための装置である。例えば、コンデンサ等を利用する。蓄電部２２には、電源回路２１に供給された電力が蓄電される。また、蓄電部２２は、ＩＣカード機能部６ｂのアンテナ１８がリーダ／ライタ装置３５の磁界領域４５内に存在する時のみ作動し、蓄電部２２に蓄電された電力がＩＣカード機能部６ｂの各部へ供給される。
【００３８】
また、このＩＣカード機能部６ｂは、送受信部１６により、リーダ／ライタ装置３５を介してメモリ１５内に情報が記憶される。また、このＩＣカード機能部６ｂの操作を行うための操作部１０ａと、メモリ１５に記憶されている情報を表示するための表示部１２ａを備えており、メモリ１５に記憶された情報は、この操作部１０ａを用いて、表示部１２ａに表示される。
【００３９】
このように電源回路２１と蓄電部２２を備えることにより、外部から供給された電力が蓄電され、リーダ／ライタ装置３５と情報データの送受信を行う場合に、ＩＣカード機能部６ｂを動作するための電力がＩＣカード機能部６ｂの各部に供給されることにより、ＩＣカード機能部６ｂとリーダ／ライタ装置３５との通信距離を伸ばせる。また、ＩＣカード機能部６ｂに供給される電力と通信距離の設定により、ＩＣカード機能部６ｂのアンテナ１８を小さくすることも可能である。
【００４０】
また、上記実施形態に示すように、蓄電手段や外部電源が故障した場合を含め、ＩＣカード機能部６〜６ｂの各部に電力が供給されなくなった場合は、リーダ／ライタ装置３５から供給される電力でＩＣカード機能部６〜６ｂの各部が動作されるのでメモリ１５の内容を外部のリーダ／ライタ装置３５で読むことができる。そのため、記憶されたメモリ１５の内容（情報データ等）は他のＩＣカードやＩＣカード機能を具備した携帯電話端末等で読み取ったり、他の端末に移動することができる。
【００４１】
次に、本発明である携帯電話端末の第３の実施形態について詳細に説明する。図５は本実施形態の携帯電話端末のシステム図である。なお、図５において、図４と共通する部分には同一符号を付し、それらの説明は省略する。
【００４２】
図示のように、携帯電話端末２ｃのＩＣカード機能部６ｃは非接触式のＩＣカードと機能を同じくするものである。このＩＣカード機能部６ｃは半導体セルから構成される太陽電池２３を備える。図示しないが、半導体セルはＩＣカードの表面（外部）に備えられる。太陽電池２３は半導体セルで受けた太陽の光を電気エネルギに変換する。変換された電気エネルギは、蓄電部２２に蓄電される。蓄電部２２は、ＩＣカード機能部６ｃのアンテナ１８がリーダ／ライタ装置３５の磁界領域４５内に存在する時のみ作動し、蓄電部２２に蓄電された電気エネルギが供給される。
【００４３】
このように、太陽電池２３を使用して蓄電部２２に電気エネルギが蓄電され、リーダ／ライタ装置３５と情報データの送受信を行う場合に、ＩＣカード機能部６ｃを動作するための電力（電気エネルギ）がこのＩＣカード機能部６ｃに供給されることにより、ＩＣカード機能部６ｂとリーダ／ライタ装置３５との通信距離を伸ばせる。また、ＩＣカード機能部６ｃに供給される電力と通信距離の設定により、ＩＣカード機能部６ｃのアンテナ１８を小さくすることも可能である。
【００４４】
また、図示はしていないが、図１に示す携帯電話端末に電源回路２１と蓄電部２２を備え、携帯電話端末機５のアンテナ１４から電源回路２１のアンテナ２１ａ（コイル）に電源用電波を送信し、ＩＣカード機能部６に電力が供給されるようにしてもよい。 
【００４５】
また、図３〜図５に示した装置を組み合わせて非接触式ＩＣカードに電気が供給されるようにしてもよい。
【００４６】
図６はＩＣカード機能部の他の実施形態である。図６（ａ）に示すように、このＩＣカード機能部５０は、表面内部に第１のアンテナ５１とＩＣカード機能部としてのＩＣチップ（ＩＣカード機能部６のアンテナ１８以外に相当）を設けるとともに、携帯電話端末５の裏面内部に第２のアンテナ５３とＩＣチップ５４を備える。この第１のアンテナ５１と第２のアンテナ５２とは互いにこのアンテナ同士が完全に重ならないように配置される。また、図６（ｂ）に示すように、ＩＣ機能部５０ａの内部に第１のアンテナ５１とＩＣカード機能部５２を設けるとともに、第１のアンテナ５１の内側に第２のアンテナ５３とＩＣチップ５４とを設けるようにしてもよい。上記ＩＣカード機能部５０、５０ａは、アンチコリージョンを利用する。
【００４７】
このように、互いのアンテナ同士が、完全に重ならないようにＩＣカード機能部に配置されるとともに、アンチコリージョンを利用することにより、記憶する容量を増加することができる。
【００４８】
また、この携帯電話端末２を電子財布として使用する場合は、ＩＣカード機能部６のメモリ１５、あるいはＩＣカード機能部５０，５０ａのＩＣチップ５２、５４内部のメモリに記憶されている電子財布としての残金がゼロ又は一定金額以下となった場合には、提携している銀行等に通信回線を通じて自動的に入金するようにするとよい。
【図面の簡単な説明】
【００４９】
【図１】携帯電話端末を利用した無線通信システムのシステム図である。
【図２】決済処理のフローチャート図である。
【図３】ＩＣカードを具備した携帯電話端末の他の実施形態のシステム図である。
【図４】携帯電話端末の第２の実施形態におけるシステム図である。
【図５】携帯電話端末の第２の実施形態におけるシステム図である。
【図６】ＩＣカード機能部を具備したＩＣカードの他の実施形態である。
【符号の説明】
【００５０】
１…無線通信システム
２…携帯電話端末
３…提携会社
４…店舗
５…携帯電話端末機
６…ＩＣカード機能部
７…Ｉ／Ｏ装置
８…Ｉ／Ｏ装置
９…電源
１０…操作部
１１…通信部
１２…表示部
１３…ＣＰＵ
１４…アンテナ
１５…メモリ
１６…送受信装
１７…ＣＰＵ
１８…アンテナ
２０…電源供給装置
２１…電源回路
２１ａ…アンテナ
２２…蓄電装置
２３…太陽電池
５０…ＩＣカード機能部
５０ａ…ＩＣカード機能部
５１…アンテナ
５２…ＩＣチップ
５３…アンテナ
５４…ＩＣチップ
【図１】
2005102235.tif 000003
【図２】
2005102235.tif 000004
【図３】
2005102235.tif 000005
【図４】
2005102235.tif 000006
【図５】
2005102235.tif 000007
【図６】
2005102235.tif 000008
【手続補正書】
【提出日】平成16年11月4日(2004.11.4)
【手続補正１】
【補正対象書類名】特許請求の範囲
【補正対象項目名】全文
【補正方法】変更
【補正の内容】
【特許請求の範囲】
【請求項１】
通信端末機（５）とＩＣカード機能部（６）とを備えた携帯電話端末（２）であって、前記通信端末機（５）には提携会社と情報データの送受信をするための携帯電話端末用アンテナ（１４）と携帯電話端末用ＣＰＵ（１３）とを設けることで、前記通信端末機（５）はＩＣカード機能部（６）のメモリ（１５）と提携会社システムとの間でリーダ／ライタとして機能し、また前記ＩＣカード機能部（６）には外部のリーダ／ライタ装置（３５）と送受信をするためのＩＣカード機能部用アンテナ（１８）とＩＣカード機能部用ＣＰＵ（１７）とを設けることで、前記ＩＣカード機能部（６）は前記通信端末機（５）の使用中でも外部のリーダ／ライタ装置と通信可能としたことを特徴とする携帯電話端末。
【請求項２】
通信端末機（５）とＩＣカード機能部（６）とを備えた携帯電話端末（２）であって、前記通信端末機（５）は提携会社と情報データの送受信をするためのアンテナ（１４）を備えた通信部（１１）及び電源（９）を有し、前記ＩＣカード機能部（６）は外部のリーダ／ライタ装置と送受信をするためのアンテナを備えた送受信部（１６）を有し、また前記通信端末のＣＰＵ（１３）とＩＣカード機能部のＣＰＵ（１７）とは入出力装置を介して接続され、前記電源（９）からの電力がＩＣカード機能部（６）の各部に供給された状態で、前記提携会社から受信した情報データをＩＣカード機能部のメモリ（１５）に直接記憶せしめ、また電力がＩＣカード機能部（６）の各部に供給されなくなった状態で、前記外部のリーダ／ライタ装置から供給される電力でＩＣカード機能部（６）の各部を動作せしめ、ＩＣカード機能部のメモリ（１５）内容を前記外部のリーダ／ライタ装置で読み取り可能としたことを特徴とする携帯電話端末。
【請求項３】
通信端末機（５）とＩＣカード機能部（６）とを備えた携帯電話端末（２）であって、前記通信端末機（５）は提携会社と情報データの送受信をするための通信部（１１）、電源（９）、操作部（１０）、表示部（１２）及びこれら各部を制御するＣＰＵ（１３）を有し、前記ＩＣカード機能部（６）は外部のリーダ／ライタ装置と送受信をするための送受信部（１６）、メモリ（１５）及びこれら各部を制御するＣＰＵ（１７）を有し、また前記通信端末機（５）のＣＰＵ（１３）と前記ＩＣカード機能部のＣＰＵ（１７）とは入出力装置を介して接続され、前記外部のリーダ／ライタ装置を備えた店舗において以下のステップを行えることを特徴とする携帯電話端末。
ステップ１：前記提携会社からの電子マネー情報を通信端末機（５）の前記通信部を介して前記ＩＣカード機能部のメモリ（１５）に記憶する。
ステップ２：前記外部のリーダ／ライタ装置の磁界領域内に携帯電話端末（２）がかざされると前記ＩＣカード機能部（６）がその電磁波を受信する。
ステップ３：電磁波を受信した前記ＩＣカード機能部（６）は、必要な情報データを前記ＩＣカード機能部のメモリ（１５）から読み取る。
ステップ４：抽出した電子マネー情報データを変調して前記外部のリーダ／ライタ装置に送信する。
ステップ５：前記外部のリーダ／ライタ装置において決済された電子マネー情報データを前記ＩＣカード機能部（６）で受信し、前記ＩＣカード機能部のメモリ（１５）に記憶する。
【手続補正２】
【補正対象書類名】明細書
【補正対象項目名】００１１
【補正方法】変更
【補正の内容】
【００１１】
請求項１の発明は、通信端末機（５）とＩＣカード機能部（６）とを備えた携帯電話端末（２）であって、前記通信端末機（５）には提携会社と情報データの送受信をするための携帯電話端末用アンテナ（１４）と携帯電話端末用ＣＰＵ（１３）とを設けることで、前記通信端末機（５）はＩＣカード機能部（６）のメモリ（１５）と提携会社システムとの間でリーダ／ライタとして機能し、また前記ＩＣカード機能部（６）には外部のリーダ／ライタ装置（３５）と送受信をするためのＩＣカード機能部用アンテナ（１８）とＩＣカード機能部用ＣＰＵ（１７）とを設けることで、前記ＩＣカード機能部（６）は前記通信端末機（５）の使用中でも外部のリーダ／ライタ装置と通信可能とした。
これにより、携帯電話とＩＣカードがシームレスに使えるようになる。例えば従来からＧＳＭ携帯電話やＦＯＭＡ（登録商標）などで使われているＳＩＭ（加入者識別モジュール）のように携帯電話機能でダウンロードしたデータを外部で使おうとする場合に、いちいち携帯電話からＩＣカード部分を取り出して外部のリーダ／ライタに装着する面倒がなくなり利便性が増す。
【手続補正３】
【補正対象書類名】明細書
【補正対象項目名】００１２
【補正方法】変更
【補正の内容】
【００１２】
請求項２の発明によれば、通信端末機（５）とＩＣカード機能部（６）とを備えた携帯電話端末（２）であって、前記通信端末機（５）は提携会社と情報データの送受信をするためのアンテナ（１４）を備えた通信部（１１）及び電源（９）を有し、前記ＩＣカード機能部（６）は外部のリーダ／ライタ装置と送受信をするためのアンテナを備えた送受信部（１６）を有し、また前記通信端末のＣＰＵ（１３）とＩＣカード機能部のＣＰＵ（１７）とは入出力装置を介して接続され、前記電源（９）からの電力がＩＣカード機能部（６）の各部に供給された状態で、前記提携会社から受信した情報データをＩＣカード機能部のメモリ（１５）に直接記憶せしめ、また電力がＩＣカード機能部（６）の各部に供給されなくなった状態で、前記外部のリーダ／ライタ装置から供給される電力でＩＣカード機能部（６）の各部を動作せしめ、ＩＣカード機能部のメモリ（１５）内容を前記外部のリーダ／ライタ装置で読み取り可能とした。
これにより、例えば上記通信手段を介してクレジットカード会社などの提携会社から電子マネーの課金データをダウンロードし、前記ＩＣカード機能部のメモリに前記課金情報を書き込めて、即座にこのＩＣカード機能部の電子マネーを使って実店舗やインターネットショッピングで買い物ができるようになる。
【手続補正４】
【補正対象書類名】明細書
【補正対象項目名】００１３
【補正方法】変更
【補正の内容】
【００１３】
請求項３の発明によれば、通信端末機（５）とＩＣカード機能部（６）とを備えた携帯電話端末（２）であって、前記通信端末機（5）は提携会社と情報データの送受信をするための通信部（１１）、電源（９）、操作部（１０）、表示部（１２）及びこれら各部を制御するＣＰＵ（１３）を有し、前記ＩＣカード機能部（６）は外部のリーダ／ライタ装置と送受信をするための送受信部（１６）、メモリ（１５）及びこれら各部を制御するＣＰＵ（１７）を有し、また前記通信端末機（５）のＣＰＵ（１３）と前記ＩＣカード機能部のＣＰＵ（１７）とは入出力装置を介して接続され、前記外部のリーダ／ライタ装置を備えた店舗において以下のステップを行えることを特徴とする携帯電話端末。
ステップ１：前記提携会社からの電子マネー情報を通信端末機（５）の前記通信部を介して前記ＩＣカード機能部のメモリ（１５）に記憶する。
ステップ２：前記外部のリーダ／ライタ装置の磁界領域内に携帯電話端末（２）がかざされると前記ＩＣカード機能部（６）がその電磁波を受信する。
ステップ３：電磁波を受信した前記ＩＣカード機能部（６）は、必要な情報データを前記ＩＣカード機能部のメモリ（１５）から読み取る。
ステップ４：抽出した電子マネー情報データを変調して前記外部のリーダ／ライタ装置に送信する。
ステップ５：前記外部のリーダ／ライタ装置において決済された電子マネー情報データを前記ＩＣカード機能部（６）で受信し、前記ＩＣカード機能部のメモリ（１５）に記憶する。
これにより、携帯電話端末を使って電子マネーを前記ＩＣカード機能部のメモリ内にチャージした後で、前記携帯電話端末を店舗に持ち込んで携帯電話端末自体を店舗にあるＩＣカードリーダ／ライタのアンテナにかざすだけで、ＩＣカード機能部を取り出さなくとも前記ＩＣカード機能部にチャージされた電子マネーを使うことができるようになる。